(57)【特許請求の範囲】
【請求項１】
矩形の底面および前記底面に対して垂直に形成された３つの側面を有する本体、前記本体内にスライド可能に係合された第１収容部、および前記第１収容部と回動可能に係合された蓋からなり、
前記本体の底面には、前記第１収容部のスライド方向に対して直交する直線状の第１凸部および第２凸部が設けられ、前記側面のうち対向する２つの側面の内側には、前記側面が形成されずに開口となっている部分から水平方向に延びる溝が設けられ、
前記第１収容部には前記第１凸部および第２凸部と係合するフック、および前記蓋と回動可能に係合する第１係合部が設けられ、
前記蓋は、前記第１収容部の第１係合部と回動可能に係合する第２係合部、および前記係合部から延在する蓋部からなり、前記第２係合部の両側面には、前記第２係合部を回動させて前記蓋部で前記第1係合部を閉じた時に、前記本体の側面に設けられた溝内へとスライド可能な水平凸部が形成され、前記溝内に前記水平凸部をスライドさせることにより前記第２係合部の回動が阻止され、
前記第１係合部と前記第２係合部に、前記蓋を開ける方向に前記第２係合部を回動させる弾性体が設けられ、
前記第１係合部および前記第２係合部が前記本体の側面が形成されずに開口となっている部分から突出するように、前記第１凸部と前記フックの係合を解除して、前記蓋および前記第１収容部をスライドさせると、前記第２係合部の水平凸部も前記本体の溝内をスライドして溝から飛び出して、前記第２収容部の突起が前記本体の底面の第２凸部と係合して前記蓋および前記第１収容部のスライドが停止され、前記第２係合部が回動可能になって前記弾性体によって蓋が開く方向に回動されることを特徴とするスライド式容器。
【請求項２】
前記蓋を閉じて前記第１収容部が収容された本体内の残りのスペースが、第２収容部となることを特徴とする請求項１に記載のスライド式容器。
【請求項３】
前記蓋を閉じた時に、前記蓋部の先端と前記本体の側面の内側の互いに接する部分に係合部を設けることを特徴とする請求項１または２に記載のスライド式容器。
【請求項４】
前記第１凸部と前記第２凸部の間に、直線状の第３凸部を前記第１凸部および前記第２凸部と平行に設け、前記フックが、前記第２凸部と前記第３凸部に挟まれた状態で係合されることを特徴とする請求項１から３のいずれか１項に記載のスライド式容器。
【発明の詳細な説明】
【技術分野】
【０００１】
本発明は、蓋をスライドさせて容器の開閉を行うスライド式容器に関する。
【背景技術】
【０００２】
化粧料等を収納する容器の１つとして、蓋のロックを解除して蓋を開けるコンパクトのような容器が多数用いられている。蓋のロックを解除する方法としては、引用文献１に記載されているように、操作片によるロック解除機構を用いたものや、蓋や容器をスライドさせて蓋のロックを解除するスライド式容器など様々なものが用いられている。
【０００３】
そして、利便性を高めるために、蓋のロックを解除した後、蓋を開けるために手動で蓋を開く容器だけではなく、ダンパー等の弾性体を利用してロックが解除されたら自動的に蓋が開く構造を用いた容器が多数存在する。
【先行技術文献】
【特許文献】
【０００４】
【特許文献１】特願平３−６９０１５号公報
【発明の概要】
【発明が解決しようとする課題】
【０００５】
ダンパー等の弾性体により蓋を開く構造の場合、蓋のロックを解除する操作が簡単な場合には、蓋のロックが不十分で衝撃により蓋が開いてしまったり、蓋のロックが強固なものは蓋を開けるには複雑な操作が必要となるなど、蓋のロック状態の信頼性と操作の容易性を両立するのは難しい。特に、弾性体により蓋を開く場合には、衝撃により勝手にロックが解除されると自動的に蓋が開いてしまい、容器に収容した化粧用具や化粧料が飛び出てしまうという問題があった。
【０００６】
そこで、本発明は前記問題を解決するために、簡単な操作で蓋をスライドさせて開けることができ、かつ蓋を閉じている時は確実に蓋をロックすることができるスライド式容器を提供することを目的とする。
【課題を解決するための手段】
【０００７】
本発明のスライド式容器は、矩形の底面および前記底面に対して垂直に形成された３つの側面を有する本体、前記本体内にスライド可能に係合された第１収容部、および前記第１収容部と回動可能に係合された蓋からなり、前記本体の底面には、前記第１収容部のスライド方向に対して直交する直線状の第１凸部および第２凸部が設けられ、前記側面のうち対向する２つの側面の内側には、前記側面が形成されずに開口となっている部分から水平方向に延びる溝が設けられ、前記第１収容部には前記第１凸部および第２凸部と係合するフック、および前記蓋と回動可能に係合する第１係合部が設けられ、前記蓋は、前記第１収容部の第１係合部と回動可能に係合する第２係合部、および前記係合部から延在する蓋部からなり、前記第２係合部の両側面には、前記第２係合部を回動させて前記蓋部で前記第1係合部を閉じた時に、前記本体の側面に設けられた溝内へとスライド可能な水平凸部が形成され、前記溝内に前記水平凸部をスライドさせることにより前記第２係合部の回動が阻止され、前記第１係合部と前記第２係合部に、前記蓋を開ける方向に前記第２係合部を回動させる弾性体が設けられ、前記第１係合部および前記第２係合部が前記本体の側面が形成されずに開口となっている部分から突出するように、前記第１凸部と前記フックの係合を解除して、前記蓋および前記第１収容部をスライドさせると、前記第２係合部の水平凸部も前記本体の溝内をスライドして溝から飛び出して、前記第２収容部の突起が前記本体の底面の第２凸部と係合して前記蓋および前記第１収容部のスライドが停止され、前記第２係合部が回動可能になって前記弾性体によって蓋が開く方向に回動されることを特徴とする。
【０００８】
また、前記蓋を閉じて前記第１収容部が収容された本体内の残りのスペースを、第２収容部とすることもできる。
【０００９】
さらに、蓋を閉じた時のロック状態を強固にするために、前記蓋を閉じた時に、前記蓋部の先端と前記本体の側面の内側の互いに接する部分に係合部を設けることもできる。
【００１０】
そして、前記第１凸部と前記第２凸部の間に、直線状の第３凸部を前記第１凸部および前記第２凸部と平行に設け、前記フックが、前記第２凸部と前記第３凸部に挟まれた状態で係合されることもできる。
【発明の効果】
【００１１】
本発明のスライド式容器は、矩形の底面および前記底面に対して垂直に形成された３つの側面を有する本体、前記本体内にスライド可能に係合された第１収容部、および前記第１収容部と回動可能に係合された蓋からなり、前記本体の底面には、前記第１収容部のスライド方向に対して直交する直線状の第１凸部および第２凸部が設けられ、前記側面のうち対向する２つの側面の内側には、前記側面が形成されずに開口となっている部分から水平方向に延びる溝が設けられ、前記第１収容部には前記第１凸部および第２凸部と係合するフック、および前記蓋と回動可能に係合する第１係合部が設けられ、前記蓋は、前記第１収容部の第１係合部と回動可能に係合する第２係合部、および前記係合部から延在する蓋部からなり、前記第２係合部の両側面には、前記第２係合部を回動させて前記蓋部で前記第1係合部を閉じた時に、前記本体の側面に設けられた溝内へとスライド可能な水平凸部が形成され、前記溝内に前記水平凸部をスライドさせることにより前記第２係合部の回動が阻止され、前記第１係合部と前記第２係合部に、前記蓋を開ける方向に前記第２係合部を回動させる弾性体が設けられ、前記第１係合部および前記第２係合部が前記本体の側面が形成されずに開口となっている部分から突出するように、前記第１凸部と前記フックの係合を解除して、前記蓋および前記第１収容部をスライドさせると、前記第２係合部の水平凸部も前記本体の溝内をスライドして溝から飛び出して、前記第２収容部の突起が前記本体の底面の第２凸部と係合して前記蓋および前記第１収容部のスライドが停止され、前記第２係合部が回動可能になって前記弾性体によって蓋が開く方向に回動されることにより、蓋を閉じている時は強固にロックされ、少しスライドさせると簡単に蓋を開くことができるので、使い勝手がよく信頼性の高いスライド式容器を実現できる。
【００１２】
また、前記蓋を閉じて前記第１収容部が収容された本体内の残りのスペースを、第２収容部とすることにより、例えば、化粧料と化粧用具といった２種類のものを分けて収容することが可能となる。
【００１３】
そして、前記第１凸部と前記第２凸部の間に、直線状の第３凸部を前記第１凸部および前記第２凸部と平行に設け、前記フックが、前記第２凸部と前記第３凸部に挟まれた状態で係合されることにより、蓋を開いている時のガタつきを防止することができる。
【図面の簡単な説明】
【００１４】
【図１】スライド式容器の斜視図であり、（ａ）が蓋を閉じた状態を示し、（ｂ）が蓋をスライドさせた状態を示す。
【図２】第１の実施形態のスライド式容器の斜視図であり、（ａ）が蓋を開けた状態を示し、（ｂ）が蓋をスライドさせた状態を示す。
【図３】第１の実施形態のスライド式容器の断面図であり、（ａ）が蓋が閉じた状態を示し、（ｂ）が蓋をスライドさせた状態を示し、（ｃ）が蓋が開いた状態を示す。
【図４】第２の実施形態のスライド式容器の斜視図である。
【図５】第２の実施形態のスライド式容器の断面図であり、（ａ）が蓋が閉じた状態を示し、（ｂ）が蓋をスライドさせた状態を示し、（ｃ）が蓋が開いた状態を示す。
【発明を実施するための形態】
【００１５】
本発明を、図を用いて以下に詳細に説明する。図１が本発明のスライド式容器１，１’の斜視図であり、図２が第１の実施形態のスライド式容器１の斜視図、図３が第１の実施形態のスライド式容器１の断面図である。
【００１６】
本発明の第１の実施形態のスライド式容器１は、矩形の底面５および前記底面５に対して垂直に形成された３つの側面６，６’を有する本体２、前記本体２内にスライド可能に係合された第１収容部３、および前記第１収容部３と回動可能に係合された蓋４とからなり、前記蓋４と前記第１収容部３を共に、前記本体２に対しスライドさせて開閉するスライド式構造の容器である。
【００１７】
前記本体２は上部と側面の１方向が開口となっており、前記本体２の底面５には、前記第１収容部３のスライド方向に対して直交する直線状の第１凸部１３および第２凸部１３’が設けられ、前記側面６，６’のうち対向する２つの側面６の内側には、前記側面６，６’が形成されずに開口となっている側から水平方向に延びる溝１２が設けられている。前記第１凸部１３と前記第２凸部１３’は互いに平行に、そして、第１収容部３のスライド量と同じ間隔で配置されている。
【００１８】
前記第１収容部３の両側面の下方には、前記本体２の側面６の下方に設けられた溝１０内をスライドする凸部１５が設けられており、これにより、前記第１収容部３は前記本体２内を水平方向にスライド可能となっている。また、前記第１収容部３には前記第１凸部１３および前記第２凸部１３’と係合するフック１４が所定の間隔で分離した状態で設けられ、前記フック１４は、前記蓋４が閉じた状態では、前記第１凸部１３と係合して前記第１収容部３がスライドするのを防止しており、前記蓋４を開く方向に前記第１収容部３をスライドさせた時に、前記フック１４が前記第２凸部１３’と係合することで、前記第１収容部３のスライドが停止される。
【００１９】
さらに、前記第１収容部３には前記蓋４と回動可能に係合する第１係合部７が設けられており、前記第１係合部７は蓋４が開くように前記第１収容部３をスライドさせると、前記本体２の開口から突出した状態となる。本実施形態では、前記第１収容部３は収容物を収容するスペースが１つとなっているが、収容物の種類等に応じて仕切り壁を設けて、複数のスペースに区切ることも可能である。
【００２０】
前記蓋４は、前記第１収容部３の第１係合部７と回動可能に係合する第２係合部８、および前記係合部８から延在する蓋部９からなる。前記第１係合部７と前記第２係合部８の内部には、前記蓋４を開ける方向（図１（ｂ）および図３（ｂ）に矢印で示す方向）に前記第２係合部を回動させる弾性体が設けられており、前記弾性体によって前記蓋４のロックが解除されると自動的に蓋４が開く構造となっている。弾性体としては特に限定するものではなく、ダンパーやスプリング等様々なものが用いられる。
【００２１】
前記第２係合部８は前記第１係合部７を挟み込むように配置され、軸と弾性体を用いて互いに回動可能に接続されており、前記第２係合部８の両側面には、前記蓋４を閉じる方向に前記第２係合部８を回動させて前記蓋部９で前記第１収容部３を閉じた時（図１（ｂ）、図２（ｂ）および図３（ｂ）参照）に、前記本体２の対向する２つの側面６の内側に設けられた溝１２内へとスライド可能な水平凸部１１が形成されている。
【００２２】
前記蓋４を閉じる方向に前記第２係合部８を回動させて前記蓋部９によって前記第１収容部３を閉じた状態（図１（ｂ）および図３（ｂ）参照）として、前記溝１２内へと前記水平凸部１１をスライドさせて挿入すると、前記水平凸部１１の動きが前記溝１２によって水平方向に制限されるので、前記第２係合部８の弾性体による蓋４を開ける方向への回動は阻止される。これにより、前記蓋４が開く方向への回動は阻止されてロックされた状態となる。
【００２３】
また、前記蓋部９の先端に突出部１７を設け、前記蓋４を完全に閉じた時に前記蓋部９の先端が接する側面６’に前記突出部１７を係合する凹部１８を設けている。前記突出部１７と前記凹部１８が、前記蓋４を閉じた時に前記蓋４と本体２の係合部として作用する。これにより、蓋４を閉じた状態をより強固に保つことができる。
【００２４】
前記蓋４を閉じた時に、前記第１収容部３は本体２内に収容されているが、本実施形態では、前記第１収容部３の大きさが本体２内のスペースの半分よりも少し大きくなっており、本体２内には残りのスペースが存在しており、このスペースを第２収容部２０として使用する。これにより、例えば、第１収容部３に化粧料を収容し、第２収容部２０に化粧用具を収容することができ、異なる２種類の収容物を別々に収容することができる。また、前記第１収容部３を大きくして、前記第２収容部２０のスペースを無くすことで、１つの大きな収容部を有するスライド式容器とすることも可能である。
【００２５】
本実施形態では、本体２内に仕切り壁を設けておらず、側面６，６’と前記第１収容部３の側面とで囲まれたスペースを第２収容部２０として用いているが、前記第１収容部３の側面の前に壁を設けて、第２収容部を側面６，６’と前記壁で取り囲むことにより形成することもできる。また、第１収容部３と同様に複数の収容物を分ける仕切り壁を設けることもできる。
【００２６】
次に、本発明のスライド式容器１の使用方法について説明する。図１（ａ）および図３（ａ）に示すのが、蓋４を閉じた状態のスライド式容器１である。この時、前記溝１２内へと前記水平凸部１１がスライドされて完全に挿入されており、前記水平凸部１１の動きが前記溝１２によって水平方向に制限されて前記第２係合部８の弾性体による回動が制限されている。そして、図３（ａ）に示すように、前記第１収容部３のフック１４が前記本体２の底面５に設けられた第１凸部１３と係合して前記第１収容部３が外に出る方向へのスライドを防止し、さらに、前記蓋部９の先端に設けられた突出部１７が前記側面６’に設けられた凹部１８と係合しており、これにより、蓋４を閉じたロック状態が強固に保たれる。
【００２７】
前記蓋４を閉じた状態から、前記蓋４の蓋部９に力を加えて前記フック１４と前記第１凸部１３の係合および前記突出部１７と前記凹部１８との係合を解除させながら、前記蓋４を開く方向（図１（ａ）および図３（ａ）に示す矢印の方向）へとスライドさせる。すると、図３（ｂ）に示すように、前記第１収容部３のスライドが前記フック１４が第２凸部１３’に引っ掛かることによって停止され、前記蓋４のスライドも同時に停止される。
【００２８】
この時、図２（ｂ）に示すように、前記蓋４の第２係合部８の側面に設けられた水平凸部１１は、前記本体２の側面６に設けられた溝１２から完全に抜け出した状態となり、その結果、前記溝１２による前記水平凸部１１の移動の制限は全て解除される。このようにして前記第２係合部８の回動の制限が解除されると、前記第２係合部８は弾性体の作用により、前記蓋４を開く方向（図１（ｂ）、図２（ｂ）および図３（ｂ）に矢印で示す方向）へと回動され、図２（ａ）および図３（ｃ）に示すように、蓋４が開いた状態となる。
【００２９】
この時には、弾性体により前記蓋４を開ける方向に常に力が作用しているので、前記蓋４は開いた状態が保たれており、さらに、図３（ｃ）に示すように、前記蓋４は前記蓋部９が完全に上向きになった状態では、前記蓋部９は前記本体２の底面５よりも下側に位置することとなり、前記蓋４は前記本体２の底面によって水平方向への動きが制限されているので、前記蓋４が完全に開いた状態では前記第１収容部３が本体２内へとスライドすることができない。これにより、使用者は蓋４が開いた状態を保ちながら収容物を取り出したり、化粧料が収容されている場合には、化粧用具を用いて化粧したりすることができる。スライド式容器１を化粧料を収容するコンパクトとして用いる場合には、前記蓋部９の内面に鏡を設けて、化粧の際に鏡を使用できるようにすることも可能である。
【００３０】
次に、前記蓋４を閉じる場合には、前記蓋部９に力を加えて前記蓋４を閉じる方向（図２（ａ）および図３（ｃ）に示される矢印の方向）に前記第２係合部８を回動させる。そして、図１（ｂ）、図２（ｂ）および図３（ｂ）に示すように、前記蓋部９が前記第１収容部３を閉じて、前記本体２の底面６と平行な状態にすると、前記第１収容部３は、前記蓋４と前記本体２の底面５による移動の制限が解除されてスライド可能な状態となっているので、次に、前記蓋４に力を加えて、図１（ａ）および図３（ａ）に示される矢印とは反対の方向へと、前記蓋４および前記第１収容部３をスライドさせる。
【００３１】
この時、前記蓋４の第２係合部８に設けた水平凸部１１を、前記本体２の側面６に設けた溝１２の中へと挿入する。これにより、前記第２係合部８の回動は阻止され、蓋４は回動せずにスライドだけが可能な状態となる。さらに、前記蓋４と前記第１収容部３をスライドさせると、前記第１収容部３のフック１４が前記本体２の底面５に設けられた第１凸部１３と係合し、同時に、前記蓋部９の先端に設けられた突出部１７が前記側面６’に設けられた凹部１８と係合する。これにより、蓋４の回動および蓋４と第１収容部３のスライドが防止され、蓋４と本体２がロックされた状態となる。
【００３２】
このように、本発明のスライド式容器１は、簡単な操作で蓋４をスライドさせて開けることができ、蓋４を閉じた状態では強固にロックされた状態が保たれるので、使い勝手がよく信頼性に優れたものとなる。
【００３３】
次に、第２の実施形態のスライド式容器１’について説明する。図１，４，５に示すのが、第２の実施形態のスライド式容器１’であり、第２の実施形態のスライド式容器１’は、第１の実施形態のスライド式容器１に第３凸部１３’’を設けたものである。ここでは、主に、第３凸部１３’’について説明を行う。
【００３４】
第２の実施形態のスライド式容器１’は、矩形の底面５および前記底面５に対して垂直に形成された３つの側面６，６’を有する本体２、前記本体２内にスライド可能に係合された第１収容部３、および前記第１収容部３と回動可能に係合された蓋４とからなり、前記蓋４と前記第１収容部３を共に、前記本体２に対しスライドさせて開閉するスライド式構造の容器であり、前記本体２の底面５には、前記第１収容部３のスライド方向に対して直交する直線状の第１凸部１３、第２凸部１３’及び第３凸部１３’’が設けられている。前記第３凸部１３’’以外の構造は第１の実施形態と同じ構造であるので、詳しい説明は省略する。
【００３５】
前記第１凸部１３、前記第２凸部１３’及び前記第３凸部１３’’は互いに平行に配置され、前記第１凸部１３と前記第２凸部１３’は、第１収容部３のスライド量と同じ間隔で配置されている。さらに、前記第３凸部１３’’は、前記第１凸部１３と前記第２凸部１３’の間に配置されており、前記第３凸部１３’’と前記第２凸部１３’の間隔は、図４および図５（ｂ）、（ｃ）に示すように、前記フック１４を挟み込んで係合する間隔で配置されている。
【００３６】
前記フック１４は、前記蓋４が閉じた状態では、前記第１凸部１３と係合して前記第１収容部３がスライドするのを防止しており、前記フック１４と前記第１凸部１３との係合を解除し、前記蓋４を開く方向に前記第１収容部３をスライドさせた時に、前記フック１４が前記第３凸部１３’’を乗り越えて前記第２凸部１３’に引っ掛かることで前記第１収容部３のスライドが停止される。この時、前記第３凸部１３’’と前記第２凸部１３’によって前記フック１４は挟まれて係合されているので、第１収容部３のガタつきが防止される。
【００３７】
次に、本実施形態のスライド式容器１’の使用方法について説明する。蓋４を閉じた状態は第１の実施形態と同じであるので説明を省略する。前記蓋４を閉じた状態から、前記蓋４の蓋部９に力を加えて前記フック１４と前記第１凸部１３の係合および前記突出部１７と前記凹部１８との係合を解除させながら、前記蓋４を開く方向（図５（ａ）に示す矢印の方向）へとスライドさせる。
【００３８】
すると、前記フック１４は前記第３凸部１３’’を乗り越えて、図５（ｂ）に示すように、第２凸部１３’に引っ掛かることにより、前記第１収容部３のスライドが停止される。これにより、前記蓋４のスライドも停止される。この時、前記蓋４の第２係合部８に設けられた水平凸部１１は、前記本体２の側面６に設けられた溝１２から完全に抜け出した状態となり、前記溝１２による前記水平凸部１１の移動の制限は全て解除され、前記第２係合部８の回動の制限が解除されることとなる。そして、前記第２係合部８は弾性体の作用により、前記蓋４を開く方向（図５（ｂ）に矢印で示す方向）へと回動され、図４および図５（ｃ）に示すように、蓋４が開いた状態となる。
【００３９】
この時には、弾性体により前記蓋４は開いた状態が保たれ、前記蓋部９が上向きになった状態で前記本体２の底面５よりも下側に位置することで前記本体２の底面によって水平方向への動きが制限されているので、前記蓋４が完全に開いた状態では前記第１収容部３が本体２内へとスライドすることができない。また、前記フック１４が前記第２凸部１３’および前記第３凸部１３’’に挟まれて係合されているので、前記第１収容部３のガタつきも防止される。このように、第３凸部１３’’を設けることで、本発明のスライド式容器１’は蓋４が開いた状態がより安定して保たれることとなり、使い勝手も向上する。
【００４０】
次に、前記蓋４を閉じる場合には、前記蓋部９に力を加えて前記蓋４を閉じる方向（図４および図５（ｃ）に示される矢印の方向）に前記第２係合部８を回動させる。そして、図１（ｂ）に示すように、前記蓋部９が前記第１収容部３を閉じて、前記本体２の底面６と平行な状態にすると、前記第１収容部３は、前記蓋４と前記本体２の底面５による移動の制限が解除されてスライド可能な状態となっているので、次に、前記蓋４に力を加えて、図１（ａ）および図５（ａ）に示される矢印とは反対の方向へと力を加えて前記フック１４を前記第３凸部１３’’を乗り越えさせて、前記蓋４および前記第１収容部３をスライドさせる。
【００４１】
この時、前記蓋４の第２係合部８に設けた水平凸部１１を、前記本体２の側面６に設けた溝１２の中へと挿入し、前記第２係合部８の回動を阻止した状態で、前記蓋４と前記第１収容部３をスライドさせると、前記第１収容部３のフック１４が前記本体２の底面５に設けられた第１凸部１３と係合し、同時に、前記蓋部９の先端に設けられた突出部１７が前記側面６’に設けられた凹部１８と係合する。これにより、蓋４の回動および蓋４と第１収容部３のスライドが防止され、蓋４と本体２がロックされた状態となる。
【００４２】
このように、第３の凸部１３’’を設けることで、簡単な操作で蓋４をスライドさせて開けることができるだけでなく、前記第１収容部３のガタつきを防止し、蓋４が開いた状態がより安定して保たれることが可能となる。
【符号の説明】
【００４３】
１，１’  スライド式容器
２        本体
３        第１収容部
４        蓋部
５        底面
６，６’  側面
７        第１係合部
８        第２係合部
９        蓋部
１０      溝
１１      水平凸部
１２      溝
１３      第１凸部
１３’    第２凸部
１３’’  第３凸部
１４      フック
１５      凸部
１７      突出部
１８      凹部
２０      第２収容部
【図１】
0005416615.tif 000002
【図２】
0005416615.tif 000003
【図３】
0005416615.tif 000004
【図４】
0005416615.tif 000005
【図５】
0005416615.tif 000006